(57)【要約】      （修正有）【課題】利用者が意図した専用紙への印刷を行うことができる印刷システムを提供する。【解決手段】印刷システム１は、上位装置６０からの印刷要求情報１０に含まれる印刷データを一時的に記憶する印刷データ記憶部２１と、制御部２４と、専用紙が格納された給紙トレイ３３と、該給紙トレイ３３に格納された専用紙の所定の箇所に印刷された専用紙の種別を指定する専用紙種別情報を読み取り、解読して、専用紙種別情報を専用紙種別データ３８に変換して出力する撮像部３２と、給紙トレイ３３から送られて来る専用紙に印刷を行う印刷部３１とを備え、制御部２４は、上位装置６０から受信した印刷要求情報１０に含まれる専用紙種別データと、撮像部３２から出力される専用紙種別データ３８とが一致した場合にのみ、給紙トレイ３３から専用紙を印刷部３１に送り、専用紙に、印刷データ記憶部２１に一時的に記憶された前記印刷データを印刷する。【選択図】図５
2015229329.tif 000002
【特許請求の範囲】
【請求項１】
上位装置からの印刷要求情報に含まれる印刷データを一時的に記憶する印刷データ記憶部と、
制御部と、
専用紙が格納された給紙トレイと、
該給紙トレイに格納された専用紙の所定の箇所に印刷された該専用紙の種別を指定する専用紙種別情報を読み取り、解読して、当該専用紙種別情報を専用紙種別データに変換して出力する撮像部と、
前記給紙トレイから送られて来る前記専用紙に印刷を行う印刷部と
を備え、
前記制御部は、前記上位装置から受信した前記印刷要求情報に含まれる専用紙種別データと、前記撮像部から出力される前記専用紙種別データとが一致した場合にのみ、前記給紙トレイから前記専用紙を前記印刷部に送り、当該専用紙に、前記印刷データ記憶部に一時的に記憶された前記印刷データを印刷する
ことを特徴とする印刷システム。
【請求項２】
表示部を備え、
前記制御部は、前記上位装置から受信した前記印刷要求情報に含まれる専用紙種別データと、前記撮像部から出力される前記専用紙種別データとが一致しない場合には、前記上位装置から受信した前記印刷要求情報に含まれる前記専用紙種別データで指定される専用紙を前記給紙トレイに格納するように促す情報の表示を前記表示部に行わせる
ことを特徴とする請求項１記載の印刷システム。
【請求項３】
上位装置からの印刷要求情報に含まれる印刷データを印刷データ記憶部に一時的に記憶する印刷データ記憶ステップと、
給紙トレイに格納された専用紙の所定の箇所に印刷された当該専用紙の種別を指定する専用紙種別情報を撮像部により読み取り、解読して、当該専用紙種別情報を専用紙種別データに変換する変換ステップと、
前記上位装置から受信した前記印刷要求情報に含まれる専用紙種別データと、前記変換ステップにおいて変換された前記専用紙種別データとが一致した場合にのみ、前記給紙トレイから前記専用紙を印刷部に送り、該印刷部において、当該専用紙に、前記印刷データ記憶ステップで前記印刷データ記憶部に記憶された前記印刷データを印刷する専用紙印刷ステップと
を含むことを特徴とする印刷制御方法。
【請求項４】
前記上位装置から受信した前記印刷要求情報に含まれる専用紙種別データと、前記変換ステップにおいて変換された前記専用紙種別データとが一致しない場合には、前記上位装置から受信した前記印刷要求情報に含まれる前記専用紙種別データで指定される専用紙を前記給紙トレイに格納するように促す情報を表示部に表示する指定専用紙表示ステップ
を含むことを特徴とする請求項３記載の印刷制御方法。
【請求項５】
上位装置からの印刷要求情報に含まれる印刷データを印刷データ記憶部に一時的に記憶する印刷データ記憶処理と、
給紙トレイに格納された専用紙の所定の箇所に印刷された当該専用紙の種別を指定する専用紙種別情報を読み取り、解読して、当該専用紙種別情報を専用紙種別データに変換する撮像部からの当該専用紙種別データと、前記上位装置から受信した前記印刷要求情報に含まれる専用紙種別データと一致した場合にのみ、前記給紙トレイから前記専用紙を印刷部に送り、該印刷部において、当該専用紙に、前記印刷データ記憶部に記憶された前記印刷データを印刷させる専用紙印刷処理と
をコンピュータに実行させることを特徴とする印刷制御プログラム。
【請求項６】
給紙トレイに格納された専用紙の所定の箇所に印刷された当該専用紙の種別を指定する専用紙種別情報を読み取り、解読して、当該専用紙種別情報を専用紙種別データに変換する撮像部からの当該専用紙種別データと、前記上位装置から受信した前記印刷要求情報に含まれる専用紙種別データとが一致しない場合には、前記上位装置から受信した前記印刷要求情報に含まれる前記専用紙種別データで指定される専用紙を前記給紙トレイに格納するように促す情報を表示部に表示させる指定専用紙表示処理
をコンピュータに実行させることを特徴とする請求項５記載の印刷制御プログラム。
【発明の詳細な説明】
【技術分野】
【０００１】
本発明は、印刷システム、印刷制御方法および印刷制御プログラムに関し、特に、専用紙への印刷に使用する印刷システム、印刷制御方法および印刷制御プログラムに関する。
【背景技術】
【０００２】
一般的に、業務等で請求書や帳票等の各種の専用紙に必要な情報を印刷するためにプリンタ（「印刷装置」とも言う。）が使用されている。各種の専用紙には、それらの専用紙毎に異なる所定の文字や罫線等が専用紙フォームとして予め印刷されている。
【０００３】
係る専用紙は、プリンタに設けられた給紙トレイに利用者により収納され、コンピュータ等（以下、「上位装置」と言う。）からプリンタへの印刷要求時に、給紙トレイからプリンタに設けられた印刷部に送られる。こうして印刷部に送られた専用紙上には、上位装置からプリンタに送信される印刷データに基づき、情報が印刷される。
【０００４】
例えば、特許文献１には、主印刷制御部１１０が印刷データを受け取ると、印刷データの属性から用紙コード取得し、その用紙コードに対応する事前印刷用紙の用紙枚数が給紙トレイに十分ある場合に、帳票印刷処理を実行する技術が開示されている。
【０００５】
また、特許文献２には、制御装置１０からの文書データを受け取ったプリンタ２が、対応テーブルを参照し、文書データに対応する給紙トレイのフォーム用紙が所定量以上あると判断した場合、該フォーム用紙に文書データの画像を印刷する技術が開示されている。
【０００６】
また、特許文献３には、印刷装置１０が印刷データと共に受け取った印刷制御データに含まれる印刷データを印刷するフォームと該フォームを格納する給紙トレイとを対応付けたルールテーブルを、印刷データ解析部１０２が参照すると共に適用フォームを決定し、決定されたフォームに印刷データを印刷する技術が開示されている。
【０００７】
また、特許文献４には、ファイルサーバ２から配信された電子新聞等の印刷データの解像度に応じて、プリンタ３１で印刷用紙と給紙トレイとを対応付けると共に、印刷用紙を選択する用紙選択ルールに基づいて選択した用紙に印刷データを印刷する技術が開示されている。
【０００８】
また、特許文献５には、請求書のフォーマットが印刷された専用紙または、白紙のうちから、請求書の専用紙が選択された場合には、入力データがその専用紙に印刷され、白紙が選択された場合には、入力データと共に請求書のフォーマットもその白紙に印刷される技術が開示されている。
【先行技術文献】
【特許文献】
【０００９】
【特許文献１】特開２０１０−０６４３７２号公報
【特許文献２】特開２００７−２８６８６５号公報
【特許文献３】特開２００６−２５６０６５号公報
【特許文献４】特開Ｈ１１−０２４８５８号公報
【特許文献５】特開２０００−１４１８０９号公報
【発明の概要】
【発明が解決しようとする課題】
【００１０】
しかしながら、特許文献１乃至５に記載された技術では、印刷装置等の給紙トレイに利用者が誤った種類の専用紙を格納してしまった場合に、利用者の意図した専用紙への、利用者の意図した情報の印刷が行えないという問題点がある。
【００１１】
本発明の目的は、上述した問題点を解決した、印刷システム、印刷制御方法および印刷制御プログラムを提供することにある。
【課題を解決するための手段】
【００１２】
本発明の印刷システムは、
上位装置からの印刷要求情報に含まれる印刷データを一時的に記憶する印刷データ記憶部と、
制御部と、
専用紙が格納された給紙トレイと、
該給紙トレイに格納された専用紙の所定の箇所に印刷された該専用紙の種別を指定する専用紙種別情報を読み取り、解読して、当該専用紙種別情報を専用紙種別データに変換して出力する撮像部と、
前記給紙トレイから送られて来る前記専用紙に印刷を行う印刷部と
を備え、
前記制御部は、前記上位装置から受信した前記印刷要求情報に含まれる専用紙種別データと、前記撮像部から出力される前記専用紙種別データとが一致した場合にのみ、前記給紙トレイから前記専用紙を前記印刷部に送り、当該専用紙に、前記印刷データ記憶部に一時的に記憶された前記印刷データを印刷する。
【００１３】
本発明の印刷制御方法は、
上位装置からの印刷要求情報に含まれる印刷データを印刷データ記憶部に一時的に記憶する印刷データ記憶ステップと、
給紙トレイに格納された専用紙の所定の箇所に印刷された当該専用紙の種別を指定する専用紙種別情報を撮像部により読み取り、解読して、当該専用紙種別情報を専用紙種別データに変換する変換ステップと、
前記上位装置から受信した前記印刷要求情報に含まれる専用紙種別データと、前記変換ステップにおいて変換された前記専用紙種別データとが一致した場合にのみ、前記給紙トレイから前記専用紙を印刷部に送り、該印刷部において、当該専用紙に、前記印刷データ記憶ステップで前記印刷データ記憶部に記憶された前記印刷データを印刷する専用紙印刷ステップと
を含む。
【００１４】
本発明の印刷制御プログラムは、
上位装置からの印刷要求情報に含まれる印刷データを印刷データ記憶部に一時的に記憶する印刷データ記憶処理と、
給紙トレイに格納された専用紙の所定の箇所に印刷された当該専用紙の種別を指定する専用紙種別情報を読み取り、解読して、当該専用紙種別情報を専用紙種別データに変換する撮像部からの当該専用紙種別データと、前記上位装置から受信した前記印刷要求情報に含まれる専用紙種別データと一致した場合にのみ、前記給紙トレイから前記専用紙を印刷部に送り、該印刷部において、当該専用紙に、前記印刷データ記憶部に記憶された前記印刷データを印刷させる専用紙印刷処理と
をコンピュータに実行させる。
【発明の効果】
【００１５】
本発明には、利用者が意図した（すなわち、上位装置が指定した）専用紙への印刷を行うことができるという効果がある。
【図面の簡単な説明】
【００１６】
【図１】本発明の第１の実施形態を示すブロック図である。
【図２】印刷装置３０の構造を説明する図である。
【図３】専用紙３７の所定の箇所に予め印刷された専用紙種別情報３４の一例を示す図である。
【図４】本発明の第１の実施形態の処理の流れを示すフローチャートである。
【図５】本発明の第２の実施形態を示すブロック図である。
【発明を実施するための形態】
【００１７】
次に、本発明の実施形態について図面を参照して詳細に説明する。
＜第１の実施形態＞
まず、第１の実施形態について説明する。
【００１８】
図１は、本発明の第１の実施形態を示すブロック図である。
【００１９】
図１を参照すると、本実施形態は、印刷システム１から構成され、印刷システム１は、印刷制御装置２０と、印刷装置３０とから構成される。
【００２０】
印刷制御装置２０は、印刷データ記憶部２１と、制御部２４と、表示部２５とを含む。
【００２１】
印刷装置３０は、印刷部３１と、撮像部３２と、給紙トレイ３３とを含む。
【００２２】
印刷データ記憶部２１は、コンピュータ等の上位装置６０から送信されて来る印刷要求情報１０に含まれる印刷データを一時的に記憶する。
【００２３】
印刷要求情報１０は、印刷データと、その印刷データが印刷される専用紙の種別を指定する専用紙種別データ３６とを含む。
【００２４】
制御部２４は、印刷システム１の動作を制御する。
【００２５】
表示部２５は、印刷システム１の利用者に印刷システム１の動作状態や印刷状態等を表示する。
【００２６】
印刷部３１は、印刷データ記憶部２１に記憶された印刷データを専用紙に印刷する。
【００２７】
次に、図２を参照して印刷装置３０の構造を説明する。
【００２８】
図２を参照すると、印刷装置３０は、給紙トレイ３３と、給紙搬送路４０とを含む。
【００２９】
専用紙３７が格納された給紙トレイ３３の上方には、撮像部３２が設けられている。
【００３０】
給紙搬送路４０は、給紙ローラ４１と、搬送ローラ４２と、給紙経路４３とを含む。
【００３１】
画像（イメージ）センサー等の撮像部３２は、給紙トレイ３３に格納された最上部の専用紙３７の所定の箇所に予め印刷された当該専用紙３７の専用紙種別を示す専用紙種別情報３４を読み取る。
【００３２】
図３は、専用紙３７の所定の箇所に予め印刷された専用紙種別情報３４の一例を示す。
【００３３】
図３では、専用紙３７は、「請求書」であり、その表面には、様々な文字および罫線等が予め印刷されている。罫線の上部には、上述した印刷データが後述するように印刷される。
【００３４】
さらに、この専用紙３７の右下には、専用紙種別（ここでは、「請求書」）を表す専用紙種別情報３４が予め印刷されている。ここでは、専用紙種別情報３４として、バーコードが使用されているが、ＱＲコード（Ｑｕｉｃｋ＿Ｒｅｓｐｏｎｓｅ＿ｃｏｄｅ：登録商標）や文字等が使用されてもよい。
【００３５】
給紙ローラ４１は、給紙トレイ３３に格納された専用紙３７を給紙トレイ３３から取り出すローラである。給紙ローラ４１により取り出された専用紙３７は、搬送ローラ４２を使用して、給紙経路４３を経由して印刷部３１へと搬送される。
【００３６】
次に、本実施形態の印刷システム１の動作について説明する。
【００３７】
図４は、本実施形態の処理の流れを示すフローチャートである。
【００３８】
まず、上位装置６０が印刷データと専用紙種別データ３６（ここでは、「請求書」を指定しているものとする）とを含む印刷要求情報１０を送出すると、制御部２４は、当該印刷要求情報１０を受信する（ステップＳ６１）。
【００３９】
制御部２４は、印刷要求情報１０に含まれる印刷データを印刷データ記憶部２１に一時的に記憶する（ステップＳ６２）。
【００４０】
制御部２４が、印刷要求情報１０を受信すると、撮像部３２は、給紙トレイ３３に格納された最上部の専用紙３７に印刷されている専用紙種別情報３４を読み取る。
【００４１】
撮像部３２は、読み取った専用紙種別情報３４を解読し、対応する専用紙種別データ３８に変換する（ステップＳ６４）。
【００４２】
制御部２４は、ステップＳ６１で受信した印刷要求情報１０に含まれる専用紙種別データ３６と、ステップＳ６４で変換された専用紙種別データ３８とを比較する（ステップＳ６５）。
【００４３】
ステップ６５において、２つの専用紙種別データ３６および３８が一致した場合（ステップＳ６５においてＹＥＳ）、制御部２４は、給紙トレイ３３に格納された最上部の専用紙３７を印刷部３１に送るよう印刷装置３０に指示し、この指示に応答して、印刷部３１に送られた専用紙３７に、印刷データ記憶部２１に一時的に記憶されている印刷データを印刷するよう印刷部３１に指示し、この指示に応答して、印刷部３１は、当該専用紙３７に、印刷データ記憶部２１に一時的に記憶されている印刷データを印刷する（ステップＳ６６）。
【００４４】
一方、ステップ６５において、２つの専用紙種別データ３６および３８が一致しない場合（ステップＳ６５においてＮＯ）、制御部２４は、印刷処理を中止し、上位装置６０が送信した印刷要求情報１０に含まれる専用紙種別データ３６で指定される専用紙３７を給紙トレイ３３に格納するように利用者に促す情報の表示を表示部２５に行わせる（ステップＳ６７）。
【００４５】
以上、本実施形態には、利用者が意図した（すなわち、上位装置が指定した）専用紙への印刷を行うことができるという効果がある。
【００４６】
その理由は、撮像部により、利用者が意図した（すなわち、上位装置が指定した）専用紙が給紙トレイに格納されているか否かを確認できるようにしたからである。
＜第２の実施形態＞
次に、本発明の第２の実施形態について説明する。
【００４７】
図５は、第２の実施形態を示すブロック図である。
【００４８】
図５を参照すると、本実施形態は、印刷システム１から構成される。
【００４９】
印刷システム１は、上位装置６０からの印刷要求情報１０に含まれる印刷データを一時的に記憶する印刷データ記憶部２１と、制御部２４と、専用紙が格納された給紙トレイ３３と、給紙トレイ３３に格納された専用紙の所定の箇所に印刷された該専用紙の種別を指定する専用紙種別情報３４を読み取り、解読して、当該専用紙種別情報３４を専用紙種別データ３８に変換して出力する撮像部３２と、給紙トレイ３３から送られて来る専用紙に印刷を行う印刷部３１とを含む。
【００５０】
制御部２４は、上位装置６０から受信した印刷要求情報１０に含まれる専用紙種別データ３６と、撮像部３２から出力される専用紙種別データ３８とが一致した場合にのみ、給紙トレイ３３から専用紙を印刷部３１に送り、当該専用紙に、印刷データ記憶部２１に一時的に記憶された印刷データを印刷する。
【００５１】
以上、本実施形態には、利用者が意図した（すなわち、上位装置が指定した）専用紙への印刷を行うことができるという効果がある。
【００５２】
その理由は、撮像部により、利用者が意図した（すなわち、上位装置が指定した）専用紙が給紙トレイに格納されているか否かを確認できるようにしたからである。
【００５３】
なお、第１および第２の実施形態における制御部２４は、専用のハードウェアで実現しても良いし、マイクロプロセッサ等のプログラムの制御で動作するコンピュータで実現しても良い。
【符号の説明】
【００５４】
００１    印刷システム
０１０    印刷要求情報
０２０    印刷制御装置
０２１    印刷データ記憶部
０２４    制御部
０２５    表示部
０３０    印刷装置
０３１    印刷部
０３２    撮像部
０３３    給紙トレイ
０３４    専用紙種別情報
０３６    専用紙種別データ
０３７    専用紙
０３８    専用紙種別データ
０４０    給紙搬送路
０４１    給紙ローラ
０４２    搬送ローラ
０４３    給紙経路
０６０    上位装置
【図１】
2015229329.tif 000003
【図２】
2015229329.tif 000004
【図３】
2015229329.tif 000005
【図４】
2015229329.tif 000006
【図５】
2015229329.tif 000007